(57)【要約】【課題】  現場の壁に合わせて且つ特に基台を要せずに配置することができるミラー付収納体構造を提供する。【解決手段】  中空となって前開口１０を有する縦フレーム１複数個を水平方向に間隔をあけて壁２に固定し、前記各縦フレーム１の側板部１１に棚取付け用の貫通孔１１ａを上下に複数個形成すると共に該縦フレーム１の前開口１０にカバー３を設け、隣接する縦フレーム１間に前面にミラー４１を具備する扉板部４を開閉自在に設けた。【選択図】      図１
2005066121.tif 000002
【特許請求の範囲】
【請求項１】
中空となって前開口を有する縦フレーム複数個を水平方向に間隔をあけて壁に固定し、前記各縦フレームの側板部に棚取付け用の貫通孔を上下に複数個形成すると共に該縦フレームの前開口にカバーを設け、隣接する縦フレーム間に前面にミラーを具備する扉板部を開閉自在に設けて成ることを特徴とするミラー付収納体構造。
【請求項２】
縦フレームの側板部に形成した貫通孔で棚の端部を支持することで棚を配設して成ることを特徴とする請求項１記載のミラー付収納体構造。
【請求項３】
縦フレーム内に照明器具を配設すると共に縦フレームの前開口に設けるカバーに透光部を設けて成ることを特徴とする請求項１又は２記載のミラー付収納体構造。
【請求項４】
縦フレームの上下開口に該縦フレームの剛性を高める補強板を設けると共に、前記補強板に照明器具からの光を反射する反射部を形成して成ることを特徴とする請求項３記載のミラー付収納体構造。
【請求項５】
棚の底板の後端部から上方に伸びる背板を設けて成ることを特徴とする請求項２記載のミラー付収納体構造。
【請求項６】
縦フレームの水平断面形状を略ロ字状として成ることを特徴とする請求項１乃至５のいずれかに記載のミラー付収納体構造。
【発明の詳細な説明】
【技術分野】
【０００１】
本発明は、例えば洗面化粧台やシステムキッチン等に用いられるミラー付収納体構造に関するものである。
【背景技術】
【０００２】
従来よりミラー付収納体構造としては、図１６に示すような箱状をしたキャビネットＣを洗面台等の基台に載置して設け、このキャビネットＣの前開口を前面にミラー４１’を設けた扉板部４’を開閉自在に設け、キャビネットＣ内を収納空間Ｓとしたものである。図１７はキャビネットＣとミラー４１’を並設したものであり、図１８に示すものは、キャビネットＣの上辺部に照明器具５の取付部を設けて照明を配したものである。
【０００３】
この従来例に示すミラー付収納体構造においては、既存の箱状をしたキャビネットを基台に載置して取付けるため、現場の壁に合わせて配置することができないものであった。
【特許文献１】特開平７−８３４２号公報
【発明の開示】
【発明が解決しようとする課題】
【０００４】
本発明は上記の従来の問題点に鑑みて発明したものであって、その目的とするところは、現場の壁に合わせて且つ特に基台を要せずに配置することができるミラー付収納体構造を提供することを課題とするものである。
【課題を解決するための手段】
【０００５】
上記課題を解決するために請求項１に係る発明にあっては、中空となって前開口１０を有する縦フレーム１複数個を水平方向に間隔をあけて壁２に固定し、前記各縦フレーム１の側板部１１に棚取付け用の貫通孔１１ａを上下に複数個形成すると共に該縦フレーム１の前開口１０にカバー３を設け、隣接する縦フレーム１間に前面にミラー４１を具備する扉板部４を開閉自在に設けて成ることを特徴とするものである。このような構成とすることで、従来の既存の箱状をしたキャビネットＣの中から選定して設けることなく現場の壁２に応じてミラー付収納体構造を設けることが可能となる。
【０００６】
また、請求項２の発明は、請求項１の発明において、縦フレーム１の側板部１１に形成した貫通孔１１ａで棚６の端部を支持することで棚６を配設して成ることを特徴とするものである。このような構成とすることで、縦フレーム１間の距離とほぼ同じ長さの底板６１を配置することができる。
【０００７】
また、請求項３の発明は、請求項１又は２の発明において、縦フレーム１内に照明器具５を配設すると共に縦フレーム１の前開口１０に設けるカバー３に透光部３１を設けて成ることを特徴とするものである。このような構成とすることで、洗面台等を使用する時に手元を明るく照らすことができる。
【０００８】
また、請求項４の発明は、請求項３の発明において、縦フレーム１の上下開口に該縦フレーム１の剛性を高める補強板８を設けると共に、前記補強板８に照明器具５からの光を反射する反射部８１を形成して成ることを特徴とするものである。このような構成とすることで、反射面８１ａからの反射光によって縦フレーム１の上下端部の暗部となって暗く見えるのを防止し、美観を向上することができる。
【０００９】
また、請求項５の発明は、請求項２の発明において、棚６の底板６１の後端部から上方に伸びる背板６２を設けて成ることを特徴とするものである。このような構成とすることで、棚６に物を置いたりする時に壁２が汚れるのを防止することができる。
【００１０】
また、請求項６の発明は、請求項１乃至５の発明において、縦フレーム１の水平断面形状を略ロ字状として成ることを特徴とするものである。このような構成とすることで、縦フレーム１の補強（剛性の向上）を図ることができる。
【発明の効果】
【００１１】
本発明にあっては、従来の既存の箱状をしたキャビネットの中から選定して設けることなく現場の壁に応じてミラー付収納体構造を設けることが可能となる。
【発明を実施するための最良の形態】
【００１２】
以下、本発明を添付図面に示す実施形態に基づいて説明する。本実施形態のミラー付収納体構造は、既存の箱状をした収納体を洗面台等の基台に立設するのではなく、現場の壁２に合わせて取り付けるもので、図１に示すように、縦フレーム１、カバー３、前面にミラー４１を備えた扉板部４で主体が構成される。
【００１３】
縦フレーム１は、図１乃至図３等に示すように、中空となって前開口１０を有するもので、本実施形態では両側板部１１と奥板部１２とからなって前方に開口する水平断面略コ字状をしたものである。この縦フレーム１は、前記断面コ字状の両側部の側板部１１に棚取付け用の貫通孔１１ａを上下に複数個形成するもので、貫通孔１１ａを横に二個並設してこれを上下複数段形成してある。この縦フレーム１は、水平方向に間隔をあけて複数個をその奥板部１２を壁２に固定するのであるが、この際、現場の壁２に合わせて適当な個数を適当な間隔をあけて配置する。また、縦フレーム１には、内部の中空部に照明器具５を配設する。照明器具５としては例えば棒状の蛍光灯のようなものであるが、特に限定されないものであり、この照明器具５を長手方向を上下として縦フレーム１内に配置する。そして、縦フレーム１の前開口１０にはカバー３が設けられる。カバー３は縦フレーム１の前開口１０を閉塞すると共に照明器具５から発する光を前方に透過させるもので、カバー３の一部又は全部が透光部３１となっている。
【００１４】
縦フレーム１は、複数個を水平方向に間隔をあけて壁２に固定されるのであるが、縦フレーム１の前端縁（断面コ字状の端縁）に扉板部４の一側辺を枢支してこの扉板部４を開閉自在に設けるものである。扉板部４は、正面視形状において、横方向長さが隣接する縦フレーム１間の距離とほぼ同じで、縦方向長さは縦フレーム１の縦方向長さとほぼ同じとなる矩形板状のもので、その一側辺を蝶番（通常の蝶番やスライド蝶番）を介して一方の縦フレーム１に枢支し、他側辺を回動側端部として他方の縦フレーム１の端縁部分に位置するように閉じるものである。なお実際の施工においては、左右幅が異なる複数種類の扉板部４を製造しておき、この中から使用する扉板部４を選定すると共にこの扉板部４に合わせて縦フレーム１を壁２に固定することがよく行われている。
【００１５】
このように、縦フレーム１を水平方向に複数個を間隔をあけて壁２に固定するようにしたことで、図１６乃至図１８に示すような従来の既存の箱状をしたキャビネットＣから選定して設けることなく現場の壁２に応じてミラー付収納体構造を設けることが可能となる。
【００１６】
この扉板部４の前面の一部又は全部にはミラー４１が取付けてある。また扉板部４は、隣接する縦フレーム１間に配置するだけではなく、図１，図４等に示すように縦フレーム１と側方の壁２との間に開閉自在に配置してもよい。このように扉板部４を配設することで、扉板部４の裏面側の空間、即ち、縦フレーム１を固定している壁２と縦フレーム１と扉板部４とで囲まれる空間を収納空間Ｓとすることができ、扉板部４を閉じて収納空間Ｓを隠した状態では扉板部４の前面のミラー４１を使用することができる。
【００１７】
また、縦フレーム１の内部に照明器具５を配設して点灯することで、前端部に設けたカバー３の透光部３１を介して前方に光が照射される。特に、照明器具５を上方のみでなく両側の上下に亘って設けることで図４に示すように洗面台等を使用する時に手元を明るく照らすことができる。そして更に、本発明においては、縦フレーム１の側板部１１に棚取付け用の貫通孔１１ａが上下に複数設けてあり、この貫通孔１１ａは全て同時に使用することは通常はなく、使用するとしても一部の貫通孔１１ａに棚６を設けて残りは縦フレーム１の内外を連通した状態となるため、前記使用されていない貫通孔１１ａを通って縦フレーム１内の照明器具５の光が側方の収納空間Ｓ内に入って間接光となり、収納空間Ｓ内の収納物Ｂが照らされる。
【００１８】
次に、棚６について図５乃至図９に基づいて説明する。棚６は、前後幅が縦フレーム１の側板部１１の前後幅とほぼ同じで、左右方向の長さが縦フレーム１間の距離（即ち扉板部４の左右幅）とほぼ同じに形成してある。本実施形態のものは、棚６の底板６１の後端部から上方に伸びる背板６２を設けると共に、底板６１の前端部から上方に伸びる前板６３を設けてある。このように背板６２を設けることで、図９に示すように棚６に物を置いたりする時に壁２が汚れるのを防止することができ、また、前板６３によって物が落下するのを防止することができる。棚６の側端部には、上記縦フレーム１の側板部１１の貫通孔１１ａへ引掛け係止するための係止片７１が突設される。係止片７１は、棚６の一側端部から側方に突出して下方に屈折する略Ｌ字状をしたもので、図７に示すように縦フレーム１の貫通孔１１ａに対応するように前後二箇所に並設する。これにより、棚６を左右に傾けた状態で縦フレーム１の係止片７１を縦フレーム１の側板部１１の貫通孔１１ａに挿入し、係止片７１を貫通孔１１ａに係止して棚６を片持ち状に支持することができ、縦フレーム１間の距離とほぼ同じ長さの底板６１を配置することができる。なおこの時、棚６の係止片７１を設けていない側端面を対向する縦フレーム１に当接することで、該側端面で側板部１１に働く前記係止片７１を中心とするモーメントを受けて、両持ち状に安定支持することが可能となる。また、本実施形態では更に背板６２の上下二箇所にも上下に隣接する後方側の二個の貫通孔１１ａに対応するように設けてあり、これによって、棚６の底板６１に並設した二個の係止片７１を中心として側板部１１に下方に働くモーメントを上記上側の背板６２に設けた係止片７１で受けてより一層安定した支持が可能となる。
【００１９】
また、図６に示すように、側板部１１の側端面の断面形状とほぼ同形の板部材７から係止片７１を突設し、前記板部材７を側板部１１の側端面に固定してもよい。これにより、係止片７１を容易に設けることができる。
【００２０】
また、図１０に示すように、板状の棚６の代わりに箱状の収納部Ｂを設けるようにしてもよい。この図１０に示すものは、収納部Ｂの側面に前後に二箇所ずつ上下二段に設けてあり、安定支持が可能となる。
【００２１】
次に、更に他例について図１１乃至図１４に基づいて説明する。これは、縦フレーム１の上下開口に該縦フレーム１の剛性を高める補強板８を設け、更にこの補強板８に照明器具５からの光を反射する反射部８１を形成している。縦フレーム１の断面形状は略コ字状をしたもので、両方の片持ち状の側板部１１を図１２に示すように補強板８で連結することで剛性を高めることができ、扉板部４を開閉する際の変形を抑えることができるものである。そして、この補強板８を用いて反射部８１を設けてある。反射部８１は、図１４に示すように補強板８の本体前端部から下斜め後方に傾斜するように連設されるもので、下斜め前方に面する反射面８１ａを有するものである。これにより、反射面８１ａからの反射光によって縦フレーム１の上下端部の暗部（図１３に示すものにおいて縦フレームの上下端部）となって暗く見えるのを防止し、美観を向上することが可能となる。
【００２２】
また、縦フレーム１を図１５に示すようにその水平断面形状を略ロ字状とすることで、縦フレーム１の補強（剛性の向上）を図ることができる。
【図面の簡単な説明】
【００２３】
【図１】本発明の一実施形態の斜視図である。
【図２】同上の縦フレーム及び棚の斜視図である。
【図３】同上の一部縦フレーム及び棚と照明器具の斜視図である。
【図４】同上のミラー付収納体構造を洗面台に取り付けた斜視図である。
【図５】棚の縦フレームへの取付けを説明する斜視図である。
【図６】係止片を設けた板部材の斜視図である。
【図７】棚の端部への係止片の取付けを説明する斜視図である。
【図８】他例の棚を設けた斜視図である。
【図９】同上の棚への収納物の収納を説明する斜視図である。
【図１０】更に他例の棚の斜視図である。
【図１１】縦フレームの変形を説明する斜視図である。
【図１２】補強板を設けた縦フレームの斜視図である。
【図１３】同上において照明器具を設けた斜視図である。
【図１４】補強板に反射部を設けた説明図である。
【図１５】縦フレームの他例の斜視図である。
【図１６】従来例の斜視図である。
【図１７】他の従来例の斜視図である。
【図１８】更に他の従来例を示し、（ａ）は斜視図であり、（ｂ）は断面図である。
【符号の説明】
【００２４】
１    縦フレーム
１０  前開口
１１  側板部
１１ａ  貫通孔
２    壁
３    カバー
４    扉板部
４１  ミラー
６    棚
【図１】
2005066121.tif 000003
【図２】
2005066121.tif 000004
【図３】
2005066121.tif 000005
【図４】
2005066121.tif 000006
【図５】
2005066121.tif 000007
【図６】
2005066121.tif 000008
【図７】
2005066121.tif 000009
【図８】
2005066121.tif 000010
【図９】
2005066121.tif 000011
【図１０】
2005066121.tif 000012
【図１１】
2005066121.tif 000013
【図１２】
2005066121.tif 000014
【図１３】
2005066121.tif 000015
【図１４】
2005066121.tif 000016
【図１５】
2005066121.tif 000017
【図１６】
2005066121.tif 000018
【図１７】
2005066121.tif 000019
【図１８】
2005066121.tif 000020